(57)【要約】【課題】レンズユニットの光軸を撮像素子の中心と容易かつ確実に一致させることができるカメラモジュールを提供すること。【解決手段】本発明に係るカメラモジュールは、基板と、基板上に搭載された略四角形状の撮像素子と、ベース部４０とベース部４０上に設けられたホルダ部６０とを有し、ベース部４０が基板と組み合わされて撮像素子を封止するための密閉空間を形成する壁部４５ａ〜４５ｄを有する封止部材５０と、封止部材５０に取り付けられたレンズユニットとを備える。封止部材５０のベース部４０には、位置決め手段として平面部３４ａおよび複数の突起３２が一体に形成されている。ベース部４０を基板に取り付ける際に、基板上の撮像素子の隣接する側面に平面部３４ａおよび複数の突起３２を当接させることによって、レンズユニットの光軸を撮像素子の中心に一致させることができる。【選択図】図４
2006126800.tif 000002
【特許請求の範囲】
【請求項１】
基板と、
前記基板上に載置され、略四角形状をなし４個の側面を有する撮像素子と、
ベース部と、該ベース部上に設けられたホルダ部とを有し、前記ベース部が前記基板と組み合わされて前記撮像素子を封止するための密閉空間を形成する壁部を有する封止部材と、
前記封止部材に取り付けられたレンズユニットと、を有するカメラモジュールにおいて、
前記ベース部を前記基板に取り付ける際に、前記レンズユニットの光軸を前記撮像素子の中心に一致させるために前記基板上の前記撮像素子の前記側面と当接する位置決め手段が前記封止部材の前記ベース部に一体に形成されていることを特徴とするカメラモジュール。
【請求項２】
前記ベース部および前記ホルダ部は、前記封止部材が単一体となるように一体に形成されている請求項１に記載のカメラモジュール。
【請求項３】
前記位置決め手段は、前記撮像素子の前記側面のうち隣接する２個の側面に当接するように前記ベース部の前記壁部の少なくとも隣接する２個の壁部の内面に形成された複数の当接部を含む請求項２に記載のカメラモジュール。
【請求項４】
前記ベース部の前記壁部は、低い高さを有する略四角形の連続した壁を形成するように配置されており、前記当接部は、前記隣接する２個の壁部のうち一方の壁部の内面に一体に形成された突起と、他方の壁部の内面の一部に一体に形成された平面部とを含む請求項３に記載のカメラモジュール。
【請求項５】
少なくとも一つの前記当接部は、前記ベース部の前記壁部の下端面と連続的な表面をなす底面を有する請求項３に記載のカメラモジュール。
【請求項６】
前記封止部材の前記ベース部および前記ホルダ部は、独立した部材をなしており、前記ベース部が前記位置決め手段によって位置決めされた状態で前記基板上に接着剤で接着固定され、前記ホルダ部が前記ベース部の上面の所定位置に接着剤で接着固定されている請求項１に記載のカメラモジュール。
【発明の詳細な説明】
【技術分野】
【０００１】
本発明は、カメラモジュールに関し、さらに詳しくは、デジタルカメラやカメラ付き携帯電話などのカメラ付き小型電子機器に用いることができるカメラモジュールに関する。
【背景技術】
【０００２】
デジタルカメラおよびカメラ付き携帯電話などのカメラ付き小型電子機器では、小型カメラモジュールが使用されている。このようなカメラモジュールは、レンズと、ＣＣＤイメージセンサおよびＣＭＯＳイメージセンサといった撮像素子とを備える。近年、カメラ付き小型電子機器は、より小型化および薄型化が要求されている。この傾向にしたがって、これらのカメラ付き小型電子機器に使用されているカメラモジュールにも、より小型化および薄型化が要求されている。最近では、携帯電話で使用される撮像素子の画素数が１００万画素以上のメガピクセルオーダーまで増加する傾向がある。この傾向にしたがって、カメラモジュールの部品を組み立てる際に、部品の位置決め精度、特に撮像素子とレンズとの位置決め精度の向上が要求されている。
【０００３】
従来のカメラモジュールの１つとして、図５に示すカメラモジュール１００が知られている。このカメラモジュール１００は、撮像素子１１０が取り付けられた基板１２０と、撮像素子１１０を内部に封止するように基板１２０上に設けられたベース１３０と、ベース１３０上に接着剤で接着されたホルダ１６０と、複数のレンズ１８０、１８１を有し、ホルダ１６０に螺合するレンズユニット１７０と、を備える。
【０００４】
図６は、従来のカメラモジュール１００のベース１３０の下方斜視図である。図６に示すように、ベース１３０は、上板部１３１と、上板部１３１の外縁に沿って、下方に向かって（図６中では上方に向かって）上板部１３１に一体に形成された壁部１３５と、壁部１３５の下端を越えて延出するように上板部１３１の４個の角にそれぞれ形成されている柱部１３６とを含む。カメラモジュール１００が組み立てられる際、柱部１３６がそれぞれ基板１２０の４個の角に形成された凹部（図示せず）に位置する状態で、壁部１３５の下端が基板１２０の上面の外縁近傍に当接し接着剤で基板１２０の上面に固定される。すなわち、従来のカメラモジュール１００では、基板１２０に対するベース１３０の位置決めは、ベース１３０の柱部１３６と基板１２０の凹部との間で行われる。
【発明の開示】
【発明が解決しようとする課題】
【０００５】
しかしながら、基板１２０の凹部を含む外縁の加工精度が低いため、基板１２０に対するベース１３０の位置決め精度も低い。その結果、ベース１３０の所定位置にホルダ１６０を接着した場合であっても、ホルダ１６０に螺合しているレンズユニット１７０（レンズ１８０、１８１）の光軸が基板１２０上に取り付けられた撮像素子１１０の中心と正確に一致しない場合がある。
【０００６】
したがって、従来のカメラモジュール１００では、ホルダ１６０をベース１３０に接着する際に、ホルダ１６０に取り付けられているレンズユニット１７０の光軸を撮像素子１１０の中心と一致させるためにベース１３０に対するホルダ１６０の接着位置を調整しなければならない。
【０００７】
本発明は、上記の問題に鑑みなされたものであり、その目的は、レンズユニットの光軸を撮像素子の中心と容易かつ確実に一致させることができるカメラモジュールを提供することにある。
【課題を解決するための手段】
【０００８】
上記目的を達成するために、本発明のカメラモジュールは、基板と、前記基板上に載置され、略四角形状をなし４個の側面を有する撮像素子と、ベース部と、該ベース部上に設けられたホルダ部とを有し、前記ベース部が前記基板と組み合わされて前記撮像素子を封止するための密閉空間を形成する壁部を有する封止部材と、前記封止部材に取り付けられたレンズユニットと、を有するカメラモジュールにおいて、前記ベース部を前記基板に取り付ける際に、前記レンズユニットの光軸を前記撮像素子の中心に一致させるために前記基板上の前記撮像素子の前記側面と当接する位置決め手段が前記封止部材の前記ベース部に一体に形成されていることを特徴とする。
【０００９】
さらに、本発明のカメラモジュールでは、前記ベース部および前記ホルダ部は、前記封止部材が単一体となるように一体に形成されていることが好ましい。
【００１０】
また、本発明のカメラモジュールでは、前記位置決め手段は、前記撮像素子の前記側面のうち隣接する２個の側面に当接するように前記ベース部の前記壁部の少なくとも隣接する２個の壁部の内面に形成された複数の当接部を含むことが好ましい。
【００１１】
さらに、本発明のカメラモジュールでは、前記ベース部の前記壁部は、低い高さを有する略四角形の連続した壁を形成するように配置されており、前記当接部は、前記隣接する２個の壁部のうち一方の壁部の内面に一体に形成された突起と、他方の壁部の内面の一部に一体に形成された平面部とを含むことが好ましい。
【００１２】
さらに、本発明のカメラモジュールでは、少なくとも一つの前記当接部は、前記ベース部の前記壁部の下端面と連続的な表面をなす底面を有することが好ましい。
【００１３】
さらに、本発明のカメラモジュールでは、前記封止部材の前記ベース部および前記ホルダ部は、独立した部材をなしており、前記ベース部が前記位置決め手段によって位置決めされた状態で前記基板上に接着剤で接着固定され、前記ホルダ部が前記ベース部の上面の所定位置に接着剤で接着固定されていることが好ましい。
【発明の効果】
【００１４】
請求項１記載のカメラモジュールによれば、ベース部を基板に取り付ける際に、レンズユニット（レンズ）の光軸を撮像素子の中心に一致させるために基板上の撮像素子の側面と当接する位置決め手段が封止部材のベース部に一体に形成されている構成となっている。このような構成を有するカメラモジュールでは、位置決め手段が精密に加工されている撮像素子の側面に当接するので、封止部材が撮像素子に対して正確に位置決めされる。この位置決めされた封止部材にレンズユニットが取り付けられるので、レンズユニットの光軸を撮像素子の中心に容易に一致させることができる。
【００１５】
請求項２記載のカメラモジュールによれば、ベース部およびホルダ部は、封止部材が単一体となるように一体に形成されていることによって、カメラモジュールに必要な部品点数を減少させることが可能となる。
【００１６】
請求項３記載のカメラモジュールによれば、位置決め手段は、撮像素子の側面のうち隣接する２個の側面に当接するようにベース部の壁部の少なくとも隣接する２個の壁部の内面に形成された複数の当接部を含む。したがって、複数の当接部が撮像素子の隣接する２個の側面に当接することによって、ベース部すなわち封止部材を撮像素子に対して容易に位置決めすることができる。
【００１７】
請求項４記載のカメラモジュールによれば、当接部は、隣接する２個の壁部のうち一方の壁部の内面に一体に形成された突起と、他方の壁部の内面の一部に一体に形成された平面部とを含む。したがって、ベース部（封止部材）の成型工程において、当接部をベース部に容易に形成することができる。
【００１８】
請求項５記載のカメラモジュールによれば、少なくとも一つの当接部は、ベース部の壁部の下端面と連続的な表面をなす底面を有する。このような当接部の底面を基板の上面に接着することができるので、ベース部と基板との間の接着面積を大きくすることができる。
【００１９】
請求項６記載のカメラモジュールによれば、封止部材のベース部およびホルダ部は、独立した部材をなしており、ベース部が前記位置決め手段によって位置決めされた状態で基板上に接着剤で接着固定され、ホルダ部がベース部の上面の所定位置に接着剤で接着固定されている構成を有する。このような構成を有するカメラモジュールでは、ホルダ部をベース部の上面の所定位置に接着固定することによって、従来のカメラモジュールのようにベース部に対するホルダ部の位置調整を行うことなく、レンズユニットの光軸を撮像素子の中心に容易に一致させることができる。
【００２０】
上述したおよび他の本発明の構成、作用および効果は、図面を参照して行う以下の好適実施形態の説明からより明らかとなるであろう。
【発明を実施するための最良の形態】
【００２１】
以下、本発明のカメラモジュールについて添付図面に示す好適な実施形態に基づいて詳細に説明する。
【００２２】
図１は、本発明に係るカメラモジュールの実施形態の外観を示す斜視図である。図２は、図１に示すカメラモジュールの分解断面図である。
【００２３】
本発明に係るカメラモジュール１は、概略、基板２０と、基板２０上に載置され、略四角形状をなし４個の側面を有する撮像素子１０と、壁部４５ａ〜４５ｄ（図４参照）を有するベース部４０とベース部４０上に設けられたホルダ部６０とを有し、ベース部４０は、基板２０と組み合わされて撮像素子１０を封止する密閉空間を形成するようになっている封止部材（ベース／ホルダ部材）５０と、複数のレンズ８０、８１を有し、ホルダ部６０に螺合されているレンズユニット７０と、から構成されている。
【００２４】
以下、各構成部材の詳細について説明する。なお、本明細書においては、上および下の文言を適宜使用するが、各部材の説明において、図１に示す矢印の向きを上方向とし、この矢印の逆の向きを下方向とする。
【００２５】
図３に示すように、基板２０は、中央に搭載された例えばＣＭＯＳイメージセンサやＣＣＤイメージセンサからなる撮像素子１０を有している。この撮像素子１０は、略四角形状をなし、精密に加工された４つの側面を有している。この撮像素子１０は、中央に略四角形状の撮像領域１３を有する。この撮像領域１３で受けた光は、電気信号に変換される。撮像素子１０の外縁近傍の一部には、基板２０との間で電気信号を送受信するための撮像素子端子部１４が形成されている。
【００２６】
基板２０上の撮像素子１０の両側には、コンデンサなどの複数の電子部品１１、１７が所定間隔をおいて搭載されている。基板２０上の撮像素子１０の両側と電子部品１１の配列との間には、それぞれ、撮像素子端子部１４と接続される基板端子部２４が形成されている。これらの撮像素子端子部１４と基板端子部２４とは、ワイヤボンディングで接続されている。上記のような構成によって、撮像素子１０と基板２０との間で電気信号の送受信が行われる。
【００２７】
基板２０の４つの角部のうち、対角線方向に略対向する位置にある一対の角には、２個の円弧状部２１が形成されている。円弧状部２１は、それぞれ封止部材５０のベース部４０の後述する柱部３６の曲面とほぼ一致する形状を有する。
【００２８】
カメラモジュール１を組み立てる際、この撮像素子１０および電子部品１１は、基板２０と封止部材５０のベース部４０とで形成される密閉空間に収納される。
【００２９】
封止部材５０は合成樹脂からなる。図４は、封止部材５０の下方から見た斜視図である。
【００３０】
図４に示すように、ベース部４０は、ホルダ部６０の下方に、略四角形状のフィルタ支持板部４１を有する。フィルタ支持板部４１の中央には、撮像素子１０に光を導入するための略四角形状の開口４６が設けられており、この開口４６には、赤外線フィルタ４７が取り付けられている（図２参照）。壁部４５ａ〜４５ｄは、フィルタ支持板部４１の外縁に沿って略四角形の連続した壁を形成するように配置されている。ベース部４０のフィルタ支持板部４１の４つの角部のうち、対角線方向に略対向する位置にある一対の角には、柱部３６が形成されている。柱部３６は、それぞれ壁部４５ａ〜４５ｄの下端を越えて下方に延出している。すなわち、ベース部４０の壁部４５ａ〜４５ｄは、柱部３６より低い高さを有する。柱部３６は、側面が２個の平面と１個の曲面とからなる断面略扇状を有する。それぞれの柱部３６の曲面は、前述した基板２０の円弧状部２１に嵌合するようになっている。
【００３１】
カメラモジュール１を組み立てる際、柱部３６がそれぞれ基板２０の円弧状部２１に嵌合し、壁部４５ａ〜４５ｄの下端面が基板２０の上面に当接した状態で、ベース部４０を基板２０に接着剤で接着固定する。
【００３２】
ベース部４０の壁部４５ａおよび４５ｂの角は、内側に変形したＬ字形状部３１をなしている。Ｌ字形状部３１は、図４中、ｘ方向に延びる第１の壁部３４と、ｘ方向と略直角をなす図中のｙ方向に伸び、第１の壁部３４の長さより短い第２の壁部３５を有する。第１の壁部３４の内面は、平面部３４ａをなしている。ベース部４０が基板２０に組み付けられる際に、平面部３４ａは、基板２０に搭載された撮像素子１０の対応する側面と当接する。これにより、第１の壁部３４の平面部３４ａは、基板２０上に搭載され撮像素子１０に対する封止部材５０の位置決め手段の役割を果たすことができる。
【００３３】
第１の壁部３４と隣接する壁部４５ｂの内面には、複数の突起３２が所定間隔をおいて一体に形成されている。ベース部４０が基板２０に組み付けられる際に、これらの複数の突起３２が、基板２０上に搭載された撮像素子１０のＬ字形状部３１の第１の壁部３４の平面部３４ａが当接している側面と隣接する側面に当接するようになっている。これにより、複数の突起３２は、基板２０上に取り付けられた撮像素子１０に対する封止部材５０の位置決め手段の役割を果たすことができる。
【００３４】
上記のように、第１の壁部３４の平面部３４ａおよび複数の突起３２は、それぞれ撮像素子１０の隣接する側面に当接している。ここで、撮像素子１０の側面は、精密に加工されているので、撮像素子１０のこれらの側面ならびにベース部４０に一体に形成された平面部３４ａおよび複数の突起３２を利用することによって、ベース部４０を撮像素子１０に対して正確に位置決めすることができる。本実施形態では、ホルダ部６０およびベース部４０が単一体となるように一体に形成されているので、封止部材５０が撮像素子１０に対して正確に位置決めされている。この位置決めされた封止部材５０のホルダ部６０にレンズユニット７０が取り付けられるので、レンズユニット７０（レンズ８０、８１）の光軸を撮像素子１０の中心に容易に一致させることができる。
【００３５】
ベース部４０が基板２０に組み付けられて接着される際、壁部４５ａおよび４５ｂのＬ字形状部３１は、撮像素子１０と電子部品１７との間に配置される。
【００３６】
第１の壁部３４の平面部３４ａおよび複数の突起３２は、撮像素子１０の前述の撮像素子端子部１４が設けられていない側面の部分に当接する。
【００３７】
Ｌ字形状部３１および突起３２は、その底面が壁部４５ａ〜４５ｄの下端面と連続的な表面をなすように設けられている。このようなＬ字形状部３１および突起３２の底面を基板２０の上面に接着することができるので、基板２０に対する封止部材５０の接着面積を大きくすることができる。さらに、壁部４５ｃの内面には、凸部３３が、内側に延出するように一体に形成されている。この凸部３３も壁部４５ｃの下端面と連続的な表面をなす底面を有するように設けられている。このような凸部３３の底面を基板２０の上面に接着することができるので、基板２０に対する封止部材５０の接着面積を大きくすることができる。
【００３８】
ベース部４０の上側には、図１、図２および図４に示すように、ホルダ部６０が一体に形成されている。ホルダ部６０は、ベース部４０の上部に形成され、光軸に直交する方向における断面が略正方形をなすブロック部６１と、ブロック部６１の上部に形成されている円筒部６２とから構成されており、ブロック部６１および円筒部６２の内部は、上部が開放された略中空円筒状になっている。
【００３９】
ホルダ部６０のブロック部６１の４個の角部は、それぞれ、図１に示すように窪んだ形状をなしており、ベース部４０の一部が露出して略正方形の小さな平面部４２をなしている。これらの平面部４２は、このカメラモジュール１がカメラ付き小型電子機器に装着される際に、取付け具（図示せず）により保持される被保持部の役割を果たす。
【００４０】
略中空円筒状をなすホルダ部６０の内周には、レンズユニット７０の後述する雄ネジ溝７１と螺合するための雌ネジ溝６３が形成されている。これにより、レンズユニット７０をホルダ部６０のブロック部６１に螺合させることができる。以上の構成を有するホルダ部６０は、レンズユニット７０を保持するための保持部の役割を果たす。
【００４１】
レンズユニット７０は、合成樹脂からなり、図１および図２に示すように略円筒状をなす。
【００４２】
レンズユニット７０の下部の外周には、前述のホルダ部６０の雌ネジ溝６３と螺合するための雄ネジ溝７１が形成されている。また、内周には、レンズ８０およびレンズ８１を取り付けるための段部（図示せず）が形成されている。
【００４３】
以下、本実施形態のカメラモジュール１の組立て手順の一例について説明する。
［１］  撮像素子１０および電子部品１１、１７を基板２０上に搭載する。
［２］  次に、赤外線フィルタ４７を封止部材５０に取り付ける。
［３］  次に、位置決め手段によって封止部材５０のベース部４０が撮像素子１０に対して位置決めされた状態で、［１］の基板２０上に［２］封止部材５０が接着剤で接着固定され、撮像素子１０を封止する。
［４］  次に、フレキシブルプリント基板（図示せず）が異方性導電膜（図示せず）を介して［３］で組み立てられた部材の基板２０の下に配置される。その後、フレキシブル基板側から異方性導電膜に熱を加えた状態で、［３］で組み立てられた部材およびとフレキシブルプリント基板の上下から圧力を加える。このようにして、フレキシブルプリント基板が［３］で組み立てられた部材に熱圧着される。
［５］  次に、レンズ８０、８１をレンズユニット７０に取り付ける。
［６］  次に、［５］で組み立てたレンズユニット７０を封止部材５０のホルダ部６０に螺合させる。
［７］  レンズユニット７０のねじ込み量を調整して、レンズ８０、８１のフォーカス調整を行う。次いで、レンズユニット７０とホルダ部６０とを接着剤で固定する。
【００４４】
上記の様な手順で組み立てたカメラモジュール１は、例えば、縦６ｍｍ、横６ｍｍ、高さ４．５ｍｍの大きさとなっている。したがって、カメラモジュール１は、カメラ付き小型電子機器に組み付ける際に、占有するスペースをできるだけ小さくすることができる。
以下、本実施形態の作用効果について説明する。
【００４５】
本実施形態では、ベース部４０を基板２０に取り付ける際に、レンズユニット７０（レンズ８０、８１）の光軸を撮像素子１０の中心に一致させるために基板２０上の撮像素子１０の側面と当接する位置決め手段としての平面部３４ａおよび突起３２が封止部材５０のベース部４０に一体に形成されている構成となっている。このような構成を有するカメラモジュール１では、位置決め手段としての平面部３４ａおよび突起３２が精密に加工されている撮像素子１０の側面に当接するので、封止部材５０が撮像素子１０に対して正確に位置決めされる。この位置決めされた封止部材５０にレンズユニット７０が取り付けられるので、レンズユニット７０の光軸を撮像素子１０の中心に容易に一致させることができる。
【００４６】
さらに、本実施形態では、ホルダ部６０およびベース部４０が単一体となるように一体に形成されていることによって、カメラモジュール１に必要な部品点数を減少させることが可能となる。
【００４７】
さらに、本実施形態では、平面部３４ａおよび突起３２は、それぞれ撮像素子１０の側面のうち隣接する２個の側面に当接するように、ベース部４０の隣接する２個の壁部４５ａおよび４５ｂの内面に形成されている。したがって、平面部３４ａおよび突起３２が撮像素子１０の隣接する２個の側面に当接することによって、ベース部４０すなわち封止部材５０を撮像素子１０に対して容易に位置決めすることができる。
【００４８】
さらに、本実施形態では、突起３２が壁部４５ｂの内面に一体に形成され、平面部３４ａが壁部４５ａの内面の一部に一体に形成されている。したがって、ベース部４０（封止部材５０）の成型工程において、平面部３４ａおよび突起３２をベース部４０に容易に形成することができる。
【００４９】
さらに、本実施形態では、平面部３４ａおよび突起３２は、ベース部４０の壁部４５ａ〜４５ｄの下端面と連続的な表面をなす底面を有する。平面部３４ａおよび突起３２の底面を基板２０の上面に接着することができるので、ベース部４０と基板２０との間の接着面積を大きくすることができる。
【００５０】
本実施形態では、ホルダ部６０にレンズユニット７０を螺合させているが、本発明はこれに限定されない。本発明は、オートフォーカス、ズームを目的として、レンズユニットを光軸方向に変位させる機構を有するカメラモジュールに適用してもよい。
【００５１】
また、本実施形態では、撮像素子１０の側面と当接する平面部３４ａは、壁部３４の一部を利用して形成されているが、本発明はこのような構造に限定されるものではない。例えば、壁部３４の内側に所定間隔をおいて、壁部３４とは独立した追加のリブを形成して、リブの側面を撮像素子１０に対する当接面として利用してもよい。
【００５２】
また、本実施形態では、複数の突起３２を壁部４５ｂの内面に一体に形成されているが、本発明はこのような構造に限定されるものではない。例えば、突起が壁部４５ｂから所定間隔をおいたベース部４０に一体に形成され、壁部４５ｂとは独立した突起をなし、撮像素子１０に当接してもよい。
【００５３】
また、本実施形態では、撮像素子１０の側面に当接する平面部３４ａ、突起３２がそれぞれ１個、２個であるが、本発明はこのような構造に限定されるものではない。本発明の位置決め手段は、少なくとも２個以上の平面部が撮像素子の隣接する側面に当接する構造、または３個以上の突起の内、少なくとも１個が撮像素子の隣接する側面の一方の側面に当接し、残りの突起が撮像素子の隣接する側面の他方の側面に当接する構造であってもよい。
【００５４】
また、本実施形態は、ベース部４０とホルダ部６０が一体成形された封止部材５０を用いているが、本発明はこれに限定されるものではない。本発明は、図５および図６に示すような従来のカメラモジュールと同様に、ベース部がホルダ部に対して独立しておりホルダ部がベース部に接着剤で接着されるタイプのカメラモジュールに適用してもよい。この場合、まず、ベース部が位置決め手段を介して基板に搭載された撮像素子に対して位置決めされた状態で基板に接着される。次いで、ホルダ部がベース部の上板部の所定位置に接着される。次いで、レンズユニットがホルダ部に取り付けられる。このような場合でも、ホルダ部がベース部の位置決め手段を介して撮像素子に対して位置決めされているので、従来のカメラモジュールで行われていたようなベース部に対するホルダ部の位置調整を行うことなくレンズユニット（レンズ）の光軸を撮像素子の中心に容易かつ確実に一致させることができる。
【００５５】
最後に、本発明は上記の実施形態に限定されるものではなく、以下に記載の特許請求の範囲から逸脱することなく、多くの改良および改変が行われることを注意すべきである。
【図面の簡単な説明】
【００５６】
【図１】本発明に係るカメラモジュールの実施形態の外観を示す斜視図である。
【図２】図１に示すカメラモジュールの分解断面図である。
【図３】図１に示すカメラモジュールの基板の上面図であり、基板上に撮像素子を搭載した状態を示す。
【図４】封止部材のベース部の下方から見た斜視図である。
【図５】従来のカメラモジュールの断面図である。
【図６】従来のベースの下方から見た斜視図である。
【符号の説明】
【００５７】
１  カメラモジュール
１０  撮像素子
１１  電子部品
１３  撮像領域
１４  撮像素子端子部
１７  電子部品
２０  基板
２１  円弧状部
２４  基板端子部
３１  Ｌ字形状部
３２  突起
３３  凸部
３４  第１の壁部
３４ａ  平面部
３５  第２の壁部
３６  柱部
４０  ベース部
４１  フィルタ支持板部
４２  平面部
４５ａ〜４５ｄ  壁部
４６  開口
４７  赤外線フィルタ
５０  封止部材
６０  ホルダ部
６１  ブロック部
６２  円筒部
６３  雌ネジ溝
７０  レンズユニット
７１  雄ネジ溝
８０、８１  レンズ
１００  カメラモジュール
１１０  撮像素子
１２０  基板
１３０  ベース
１３１  上板部
１３５  壁部
１３６  柱部
１６０  ホルダ
１７０  レンズユニット
１８０、１８１  レンズ
【図１】
2006126800.tif 000003
【図２】
2006126800.tif 000004
【図３】
2006126800.tif 000005
【図４】
2006126800.tif 000006
【図５】
2006126800.tif 000007
【図６】
2006126800.tif 000008